(57)【要約】      （修正有）【課題】目封止ハニカム構造体の製造時の工程数が少なく、また、製造コストを削減することが可能な目封止ハニカム構造体の製造方法を提供する。【解決手段】目封止部セル５０の位置座標を認識する座標認識工程と、端面を被覆するためのものであり且つ粘着層を有さない被覆シート２５に、目封止部セルの位置座標と同じ位置座標の貫通孔４０を形成して孔開きシート２７を得る孔開きシート作製工程と、孔開きシートをハニカム構造体の一方の端面上に配置し、孔開きシートによってハニカム構造体の一方の端面を被覆するとともに、孔開きシートをハニカム構造体の一方の端面に押し付けるシート被覆工程と、孔開きシートをハニカム構造体の一方の端面に押し付けた状態で、ハニカム構造体の目封止部セルに目封止部形成用スラリーを充填して目封止部を形成する目封止材充填工程と、を有する目封止ハニカム構造体の製造方法。【選択図】図６
2015178436.tif 000002
【特許請求の範囲】
【請求項１】
流体の流入端面から流出端面まで延びる複数のセルを区画形成する隔壁を備える柱状のハニカム構造体を作製するハニカム構造体作製工程と、
作製した前記ハニカム構造体の前記セルの開口部に目封止部を形成して目封止ハニカム構造体を作製する目封止部形成工程と、を有し、
前記目封止部形成工程が、
前記ハニカム構造体の一方の端面を撮像して画像データを取得し、取得した前記画像データから前記目封止部が形成されるセルである目封止部セルの位置座標を認識する座標認識工程と、
前記ハニカム構造体の前記一方の端面を被覆するためのものであり且つ粘着層を有さない被覆シートに、前記目封止部セルの前記位置座標と同じ位置座標の貫通孔を形成して孔開きシートを得る孔開きシート作製工程と、
前記孔開きシートの前記貫通孔と前記ハニカム構造体の前記目封止部セルとが合致するように、前記孔開きシートを前記ハニカム構造体の前記一方の端面上に配置し、前記孔開きシートによって前記ハニカム構造体の前記一方の端面を被覆するとともに、前記孔開きシートを前記ハニカム構造体の前記一方の端面に押し付けるシート被覆工程と、
前記孔開きシートを前記ハニカム構造体の前記一方の端面に押し付けた状態で、前記ハニカム構造体の前記目封止部セルに目封止部形成用スラリーを充填して前記目封止部を形成する目封止材充填工程と、を有する目封止ハニカム構造体の製造方法。
【請求項２】
前記孔開きシート作製工程において、前記被覆シートを把持可能な把持枠を用いて前記被覆シートに張力を加えた状態で、前記貫通孔を形成して前記孔開きシートを得る請求項１に記載の目封止ハニカム構造体の製造方法。
【請求項３】
前記シート被覆工程において、前記被覆シートを把持可能な把持枠を用いて平らな状態の前記被覆シートを把持し、前記被覆シートの平らな状態を維持して前記ハニカム構造体の前記一方の端面上に前記平らな状態の前記被覆シートを配置する把持・配置工程を更に有する請求項１または２に記載の目封止ハニカム構造体の製造方法。
【請求項４】
前記目封止材充填工程において、目封止材充填手段を用いて前記目封止部形成用スラリーを押し出し、前記ハニカム構造体の前記目封止部セルに前記目封止部形成用スラリーを充填する請求項１〜３のいずれか一項に記載の目封止ハニカム構造体の製造方法。
【請求項５】
流体の流入端面から流出端面まで延びる複数のセルを区画形成する隔壁を備える柱状のハニカム構造体の一方の端面を撮像して画像データを取得する撮像手段と、
前記撮像手段で取得した前記画像データから前記目封止部が形成されるセルである目封止部セルの位置座標を認識する座標認識手段と、
前記ハニカム構造体の前記一方の端面を被覆するためのものであり且つ粘着層を有さない被覆シートに、前記目封止部セルの前記位置座標と同じ位置座標の貫通孔を形成し、孔開きシートを作製する孔開きシート作製手段と、
前記孔開きシートの前記貫通孔と前記ハニカム構造体の前記目封止部セルとが合致するように、前記孔開きシートを前記ハニカム構造体の前記一方の端面上に配置し、前記孔開きシートによって前記ハニカム構造体の前記一方の端面を被覆する被覆手段と、
前記ハニカム構造体の前記一方の端面を被覆した前記孔開きシートを、前記ハニカム構造体の前記一方の端面に押し付ける押付手段と、
前記孔開きシートを前記ハニカム構造体の前記一方の端面に押し付けた状態で、前記ハニカム構造体の前記目封止部セルに目封止部形成用スラリーを充填し、前記ハニカム構造体の前記セルの開口部に目封止部を形成する目封止材充填手段と、を備えるハニカム構造体の目封止部形成装置。
【請求項６】
前記被覆シートが長尺状のシートであり、
長尺状の前記被覆シートを供給する供給ロールと、前記貫通孔が形成された後の長尺状の前記被覆シートを巻き取る巻き取りロールと、を有するロール部を更に備え、
前記ロール部の前記供給ロールと前記巻き取りロールとの回転速度を調節することにより長尺状の前記被覆シートに張力を加える請求項５に記載のハニカム構造体の目封止部形成装置。
【請求項７】
平らな状態の前記被覆シートを把持し、前記被覆シートの平らな状態を維持して前記ハニカム構造体の一方の端面上に配置する把持枠を更に備える請求項５または６に記載のハニカム構造体の目封止部形成装置。
【請求項８】
前記目封止材充填手段が、モーノポンプ、プランジャーポンプ、ダイヤフラムポンプ、及び空圧による圧送装置を含む群から選択されるスラリー定量供給装置である請求項５〜７のいずれか一項に記載のハニカム構造体の目封止部形成装置。
【発明の詳細な説明】
【技術分野】
【０００１】
本発明は、目封止ハニカム構造体の製造方法、及び目封止部形成装置に関する。更に詳しくは、目封止ハニカム構造体の製造時の工程数が少なく、また、製造コストを削減することが可能な目封止ハニカム構造体の製造方法、及び目封止部形成装置に関する。
【背景技術】
【０００２】
内燃機関、ボイラー等の排気ガス中の微粒子や有害物質は、環境への影響を考慮して排気ガス中から除去する必要性が高まっている。特に、ディーゼルエンジンから排出される微粒子（以下、ＰＭということがある）の除去に関する規制は欧米、日本国内ともに強化される方向にあり、ＰＭを除去するための捕集フィルタにハニカム構造体が用いられている。
【０００３】
このような目的で使用されるフィルタとしては、隔壁によって流体の流路となる複数のセルが区画形成され、複数のセルの一方の開口端部及び他方の開口端部を互い違いに目封止する目封止部を備えた目封止ハニカム構造体を利用したハニカムフィルタが挙げられる。このようなハニカムフィルタによれば、排ガス流入側端面からセル内に排ガスを流入させることにより、この排ガスが隔壁を通過する際に排ガス中のパティキュレートが隔壁に捕集される。そのため、このハニカムフィルタは、パティキュレートが除去された浄化ガスを浄化ガス流出側端面から流出させることが可能となる。
【０００４】
そして、上記のような目封止ハニカム構造体の製造方法としては、例えば、以下のような方法が提案されている。即ち、まず、ハニカム構造体（または未焼成のセラミック乾燥体）の一方の端面に、粘着シートを貼着する。その後、画像処理を利用したレーザー加工等によりその粘着シートの目封止部が形成されるセル（目封止部セル）に対応する部分のみに孔開けをしてマスクとし、そのマスクが貼着されたハニカム構造体の端面をスラリー（セラミックスラリー）中に浸漬する。その後、ハニカム構造体の目封止部セルにスラリーを充填して目封止部を形成する。そして、これと同様の工程をハニカム構造体の他方の端面についても行った後、乾燥し、焼成する。このようにして目封止ハニカム構造体を得る方法が提案されている（例えば、特許文献１参照）。
【先行技術文献】
【特許文献】
【０００５】
【特許文献１】国際公開第２００９／１１９２５１号
【発明の概要】
【発明が解決しようとする課題】
【０００６】
しかしながら、上記のように粘着シートに孔開けを行い、この粘着シートをマスクとしてスラリー中にハニカム構造体を浸漬する方法では、浸漬させたハニカム構造体の端部をスラリーで汚さないために粘着シートをハニカム構造体側に折り曲げる必要があるが、適切に粘着シートを折り曲げるのは容易ではない。また、目封止部を形成した後に、ハニカム構造体から粘着シートを剥がす必要があるが、粘着シートはハニカム構造体の側面にも貼り付けられていることに加え、スラリーが乾燥して固まっているため、粘着シートを剥がすことは容易ではない。そして、このように粘着シートを剥がすことは容易ではないので、粘着シートを剥がす作業を自動化することは困難である。また、スラリー中にハニカム構造体を浸漬する方法では、スラリーを容器に溜めて行うが、この容器には、目封止部セルに充填するスラリーよりも多くの量のスラリーを用意する必要があり、無駄になるスラリーがあるので製造コストが大きくなる。加えて、目封止部の深さを均一にすることが難しく、必要以上の深さの目封止部が存在することがある。更に、粘着シートは、粘着層を有さないシートに比べて費用が高く、粘着シートを用いると、製造コストが大きい。
【０００７】
このようなことから、目封止ハニカム構造体の製造時の工程数が少なく、また、製造コストを削減することが可能な目封止ハニカム構造体の製造方法、及び目封止部形成装置が切望されていた。
【０００８】
本発明は、このような従来技術の有する問題点に鑑みてなされたものである。その課題とするところは、目封止ハニカム構造体の製造時の工程数が少なく、また、製造コストを削減することが可能な目封止ハニカム構造体の製造方法、及び目封止部形成装置を提供することにある。
【課題を解決するための手段】
【０００９】
本発明によれば、以下に示す、目封止ハニカム構造体の製造方法、及び目封止部形成装置が提供される。
【００１０】
［１］  流体の流入端面から流出端面まで延びる複数のセルを区画形成する隔壁を備える柱状のハニカム構造体を作製するハニカム構造体作製工程と、作製した前記ハニカム構造体の前記セルの開口部に目封止部を形成して目封止ハニカム構造体を作製する目封止部形成工程と、を有し、前記目封止部形成工程が、前記ハニカム構造体の一方の端面を撮像して画像データを取得し、取得した前記画像データから前記目封止部が形成されるセルである目封止部セルの位置座標を認識する座標認識工程と、前記ハニカム構造体の前記一方の端面を被覆するためのものであり且つ粘着層を有さない被覆シートに、前記目封止部セルの前記位置座標と同じ位置座標の貫通孔を形成して孔開きシートを得る孔開きシート作製工程と、前記孔開きシートの前記貫通孔と前記ハニカム構造体の前記目封止部セルとが合致するように、前記孔開きシートを前記ハニカム構造体の前記一方の端面上に配置し、前記孔開きシートによって前記ハニカム構造体の前記一方の端面を被覆するとともに、前記孔開きシートを前記ハニカム構造体の前記一方の端面に押し付けるシート被覆工程と、前記孔開きシートを前記ハニカム構造体の前記一方の端面に押し付けた状態で、前記ハニカム構造体の前記目封止部セルに目封止部形成用スラリーを充填して前記目封止部を形成する目封止材充填工程と、を有する目封止ハニカム構造体の製造方法。
【００１１】
［２］  前記孔開きシート作製工程において、前記被覆シートを把持可能な把持枠を用いて前記被覆シートに張力を加えた状態で、前記貫通孔を形成して前記孔開きシートを得る前記［１］に記載の目封止ハニカム構造体の製造方法。
【００１２】
［３］  前記シート被覆工程において、前記被覆シートを把持可能な把持枠を用いて平らな状態の前記被覆シートを把持し、前記被覆シートの平らな状態を維持して前記ハニカム構造体の前記一方の端面上に前記平らな状態の前記被覆シートを配置する把持・配置工程を更に有する前記［１］または［２］に記載の目封止ハニカム構造体の製造方法。
【００１３】
［４］  前記目封止材充填工程において、目封止材充填手段を用いて前記目封止部形成用スラリーを押し出し、前記ハニカム構造体の前記目封止部セルに前記目封止部形成用スラリーを充填する前記［１］〜［３］に記載の目封止ハニカム構造体の製造方法。
【００１４】
［５］  流体の流入端面から流出端面まで延びる複数のセルを区画形成する隔壁を備える柱状のハニカム構造体の一方の端面を撮像して画像データを取得する撮像手段と、前記撮像手段で取得した前記画像データから前記目封止部が形成されるセルである目封止部セルの位置座標を認識する座標認識手段と、前記ハニカム構造体の前記一方の端面を被覆するためのものであり且つ粘着層を有さない被覆シートに、前記目封止部セルの前記位置座標と同じ位置座標の貫通孔を形成し、孔開きシートを作製する孔開きシート作製手段と、前記孔開きシートの前記貫通孔と前記ハニカム構造体の前記目封止部セルとが合致するように、前記孔開きシートを前記ハニカム構造体の前記一方の端面上に配置し、前記孔開きシートによって前記ハニカム構造体の前記一方の端面を被覆する被覆手段と、前記ハニカム構造体の前記一方の端面を被覆した前記孔開きシートを、前記ハニカム構造体の前記一方の端面に押し付ける押付手段と、前記孔開きシートを前記ハニカム構造体の前記一方の端面に押し付けた状態で、前記ハニカム構造体の前記目封止部セルに目封止部形成用スラリーを充填し、前記ハニカム構造体の前記セルの開口部に目封止部を形成する目封止材充填手段と、を備えるハニカム構造体の目封止部形成装置。
【００１５】
［６］  前記被覆シートが長尺状のシートであり、長尺状の前記被覆シートを供給する供給ロールと、前記貫通孔が形成された後の長尺状の前記被覆シートを巻き取る巻き取りロールと、を有するロール部を更に備え、前記ロール部の前記供給ロールと前記巻き取りロールとの回転速度を調節することにより長尺状の前記被覆シートに張力を加える前記［５］に記載のハニカム構造体の目封止部形成装置。
【００１６】
［７］  平らな状態の前記被覆シートを把持し、前記被覆シートの平らな状態を維持し、前記ハニカム構造体の前記一方の端面上に配置する把持枠を更に備える前記［５］または［６］に記載のハニカム構造体の目封止部形成装置。
【００１７】
［８］  前記目封止材充填手段が、モーノポンプ、プランジャーポンプ、ダイヤフラムポンプ、及び空圧による圧送装置を含む群から選択されるスラリー定量供給装置である前記［５］〜［７］のいずれかに記載のハニカム構造体の目封止部形成装置。
【発明の効果】
【００１８】
本発明の目封止ハニカム構造体の製造方法は、目封止部形成工程が、座標認識工程、孔開きシート作製工程、シート被覆工程、及び目封止材充填工程の各工程を有している。このような各工程を有することにより、本発明の目封止ハニカム構造体の製造方法は、目封止ハニカム構造体の製造時の工程数が少なく、また、製造コストを削減することができる。
【００１９】
本発明の目封止部形成装置は、目封止ハニカム構造体の製造工程に用いることで、目封止ハニカム構造体の製造時の工程数を少なくすることができ、また、目封止ハニカム構造体の製造コストを削減することができる。
【図面の簡単な説明】
【００２０】
【図１】本発明の目封止部形成装置の一の実施形態を模式的に示す平面図である。
【図２】本発明の目封止ハニカム構造体の製造方法の一の実施形態における座標認識工程を模式的に示す平面図である。
【図３】本発明の目封止ハニカム構造体の製造方法の一の実施形態における孔開きシート作製工程を模式的に示す平面図である。
【図４】本発明の目封止ハニカム構造体の製造方法の一の実施形態における孔開きシート作製工程を模式的に示す平面図である。
【図５】本発明の目封止ハニカム構造体の製造方法の一の実施形態における把持・配置工程で孔開きシートを把持した状態を模式的に示す平面図である。
【図６】図５における矢印の方向から被覆シートを見たときの状態を模式的に示す平面図である。
【図７】本発明の目封止ハニカム構造体の製造方法の一の実施形態におけるシート被覆工程で孔開きシートをハニカム構造体に被覆して押し付けた状態を模式的に示す平面図である。
【発明を実施するための形態】
【００２１】
以下、本発明の実施の形態について説明する。本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２２】
（１）目封止ハニカム構造体の製造方法：
本発明の目封止ハニカム構造体の製造方法の一実施形態は、柱状のハニカム構造体を作製するハニカム構造体作製工程と、作製したハニカム構造体のセルの開口部に目封止部を形成して目封止ハニカム構造体を作製する目封止部形成工程と、を有している。ハニカム構造体作製工程における柱状のハニカム構造体は、流体の流入端面から流出端面まで延びる複数のセルを区画形成する隔壁を備えている。
【００２３】
そして、目封止部形成工程は、ハニカム構造体の一方の端面を撮像して画像データを取得し、取得した画像データから目封止部が形成されるセルである目封止部セルの位置座標を認識する座標認識工程を有している。また、目封止部形成工程は、「ハニカム構造体の一方の端面を被覆するためのものであり且つ粘着層を有さない被覆シート」に、目封止部セルの位置座標と同じ位置座標の貫通孔を形成して孔開きシートを得る孔開きシート作製工程を有している。また、目封止部形成工程は、孔開きシートをハニカム構造体の一方の端面上に配置し、孔開きシートによってハニカム構造体の一方の端面を被覆するとともに、孔開きシートをハニカム構造体の一方の端面に押し付けるシート被覆工程を有している。このシート被覆工程において、孔開きシートをハニカム構造体の一方の端面上に配置する際には、孔開きシートの貫通孔とハニカム構造体の目封止部セルとが合致するように、孔開きシートをハニカム構造体の一方の端面上に配置する。また、目封止部形成工程は、孔開きシートをハニカム構造体の一方の端面に押し付けた状態で、ハニカム構造体の目封止部セルに目封止部形成用スラリーを充填して目封止部を形成する目封止材充填工程を有している。
【００２４】
上述した「スラリー中にハニカム構造体を浸漬する方法」では、浸漬させたハニカム構造体の端部をスラリーで汚さないために、浸漬前に粘着シートをハニカム構造体側に折り曲げる工程、及び浸漬後に粘着シートを剥がす工程が必要になる。一方、本発明ではこれらの工程を必要としない。また、上述した「スラリー中にハニカム構造体を浸漬する方法」では、目封止部セルに充填するスラリーよりも多くの量のスラリーを用意する必要があるが、本発明ではその必要がなく、無駄になるスラリーを低減することができる。つまり、本発明の目封止ハニカム構造体の製造方法は、上記各工程を有することにより、目封止ハニカム構造体の製造時の工程数が少なく、また、製造コストを削減することができる。
【００２５】
（１−１）ハニカム構造体作製工程：
ハニカム構造体作製工程は、流体の流入端面から流出端面まで延びる複数のセルを区画形成する隔壁を備える柱状のハニカム構造体を作製するための従来公知の方法を適宜採用することができる。例えば、ハニカム構造体作製工程としては、ハニカム構造体を作製するための坏土を調製し、この坏土を押出成形などにより成形して、ハニカム成形体を作製し、このハニカム成形体を焼成して上記ハニカム構造体を得る工程を挙げることができる。
【００２６】
ハニカム構造体は、隔壁の厚さが０．１〜１ｍｍであるものを用いることができる。
【００２７】
ハニカム構造体は、セル密度が５〜４０個／ｃｍ２であるものを用いることができる。
【００２８】
ハニカム構造体は、全体形状が、円柱状、多角柱状のものを適宜用いることができる。
【００２９】
円柱状のハニカム構造体の場合、端面の直径が２０〜６０ｍｍであるものを用いることができる。
【００３０】
ハニカム構造体は、セル形状（セルの延びる方向に直交する断面におけるセルの形状）について特に制限はなく、正方形などの四角形、円形などとすることができる。
【００３１】
（１−２）目封止部形成工程：
目封止部形成工程は、上述したように、座標認識工程、孔開きシート作製工程、シート被覆工程、及び目封止材充填工程の各工程を有している。図１は、この目封止部形成工程に用いることができる目封止部形成装置１００を示している。なお、図１は、目封止部形成装置１００を、目封止部形成装置１００の上方から見た平面図である。図２〜５、図７においても同様である。
【００３２】
図１に示す目封止部形成装置１００は、流体の流入端面１１から流出端面１２まで延びる複数のセルを区画形成する隔壁を備える柱状のハニカム構造体１０の一方の端面１５を撮像して画像データを取得する撮像手段２０を備えている。なお、「一方の端面１５」は、流入端面１１または流出端面１２のいずれの端面であってもよい。また、目封止部形成装置１００は、撮像手段２０で取得した画像データから「目封止部が形成されるセル」である目封止部セルの位置座標を認識する座標認識手段２２を備えている。また、目封止部形成装置１００は、被覆シート２５に、目封止部セルの位置座標と同じ位置座標の貫通孔（図６参照）を形成し、孔開きシートを作製する孔開きシート作製手段２４を備えている。被覆シート２５は、ハニカム構造体１０の一方の端面１５を被覆するためのものであり且つ粘着層を有さないものである。また、目封止部形成装置１００は、孔開きシートの貫通孔とハニカム構造体１０の目封止部セルとが合致するように、孔開きシートをハニカム構造体１０の一方の端面１５上に配置し、孔開きシートによってハニカム構造体１０の一方の端面１５を被覆する被覆手段２６を備えている。また、目封止部形成装置１００は、ハニカム構造体１０の一方の端面１５を被覆した孔開きシートを、ハニカム構造体１０の一方の端面１５に押し付ける押付手段２８を備えている。また、目封止部形成装置１００は、孔開きシートをハニカム構造体１０の一方の端面１５に押し付けた状態で、ハニカム構造体１０の目封止部セルに目封止部形成用スラリーを充填し、ハニカム構造体１０のセルの開口部に目封止部を形成する目封止材充填手段３０を備えている。
【００３３】
（１−２−１）座標認識工程：
本工程においては、このような撮像手段を用いて画像データを取得し、取得した画像データから目封止部セルの位置座標を認識する。具体的には、画像データを二値化処理することにより、目封止部セルと目封止部セル以外のセルとの位置を特定する。即ち、このような二値化処理などを行い、目封止部セルの位置座標を認識する。
【００３４】
なお、本明細書にいう「二値化処理」とは、画像データを２５６階調に色分けし、閾値を境界として、これより輝度の高い部分を白、低い部分を黒とする白黒のみの二値画像に変換する処理を意味する。これにより、ハニカム構造体の隔壁部分（黒）とセル部分（白）とを識別することができる。
【００３５】
ハニカム構造体の一方の端面を撮像するための撮像手段としては、特に限定はなく、例えば、ＣＣＤ（ｃｈａｒｇｅ−ｃｏｕｐｌｅｄ  ｄｅｖｉｃｅ）カメラ、Ｘ線ＣＴ（ｃｏｍｐｕｔｅｄ  ｔｏｍｏｇｒａｐｈｙ）スキャナー等を用いることができる。
【００３６】
図２は、本発明の目封止ハニカム構造体の製造方法の一の実施形態における座標認識工程を模式的に示す平面図である。図２に示すように、撮像手段２０によってハニカム構造体１０の一方の端面１５を撮像して画像データを取得する。撮像手段２０で取得した画像データは、撮像手段２０に連結された座標認識手段２２によって画像処理され、座標認識手段２２において「目封止部が形成されるセル」である目封止部セルの位置座標が認識される。
【００３７】
（１−２−２）孔開きシート作製工程：
本工程に用いる被覆シートは、ハニカム構造体の端面を被覆するためのものであり且つ粘着層を有さないシートである。このように、「粘着層を有さないシート」を用いることにより、目封止部形成用スラリーを充填した後に被覆シートをハニカム構造体から剥がす作業が不要になる。また、「粘着層を有さないシート」は、粘着層を有するシート（粘着シート）に比べて安価であり、「粘着層を有さないシート」を用いることにより製造コストを削減することができる。
【００３８】
被覆シートの材質は、例えば、ＰＥＴ（ポリエチレンテレフタレート）、ＰＰＳ（ポリフェニレンサルファイド）、アラミドなどを挙げることができる。
【００３９】
また、被覆シートは、例えば、１０〜２００μｍの厚さのものを用いることができる。このような厚さのシートを用いることにより、容易に貫通孔を形成することができる。
【００４０】
また、被覆シートは、その破断伸び率が１２０〜２００％であることが好ましい。
【００４１】
被覆シートは、ハニカム構造体の一方の端面の面積よりも大きな面積のシートである限り特に制限はないが、長尺状のシートであることが好ましい。より具体的には、ロール状に巻かれた長尺状のシート（図３に示す「被覆シート２５」を参照）であることが好ましい。このような長尺状のシートとすることにより、シートを切断する工程等が不要となり、連続的に目封止部形成工程を行うことができる。
【００４２】
被覆シートが長尺状のシートである場合、長尺状の被覆シートを供給する供給ロールと、貫通孔が形成された後の長尺状の被覆シート（孔開きシート）を巻き取る巻き取りロールと、を有する長尺状シート供給巻取手段（ロール部）を用いることが好ましい。このような長尺状シート供給巻取手段を用いることにより、被覆シートの張力を巻取モーターのトルクなどにより制御しながら、連続的に目封止部形成工程を行うことができる。図３は、長尺状の被覆シート２５を供給する供給ロール３２と、貫通孔が形成された後の長尺状の被覆シート２５（孔開きシート２７）を巻き取る巻き取りロール３４と、を有する長尺状シート供給巻取手段３６（ロール部３７）を用いた例を示している。なお、図３において、供給ロール３２と巻き取りロール３４とは左右に配置され、被覆ロール２５が左から右に流れているが、逆に流れてもよい。また、供給ロール３２と巻き取りロール３４とが上下に配置されていてもよい。即ち、供給ロール３２が巻き取りロール３４の上方に位置するように配置され、被覆シート２５が鉛直方向に流れるようにしてもよい。また、その逆の位置関係であってもよい。
【００４３】
長尺状シート供給巻取手段を用いる場合、長尺状の被覆シートを把持枠で把持しつつ、この被覆シートの、供給ロール側の部分において貫通孔を形成し、その後、孔開きシートの貫通孔とハニカム構造体の目封止部セルとが合致するように孔開きシートを移動させることが好ましい。このように、本発明においては、被覆シートをハニカム構造体の端面に被覆する前に被覆シートに貫通孔を形成する。このようにすることで、被覆シートの供給方向とハニカム構造体の搬送方向とを一致させる必要がなくなり、非粘着性フィルム（粘着層を有さない被覆シート）の取り扱いが容易になり、設備が簡素化できる。更に、装置の配置の自由度が向上する。図３は、長尺状の被覆シート２５を把持枠４２で把持しつつ、この被覆シート２５の、供給ロール３２側の部分において貫通孔を形成している状態を示している。図４は、長尺状の被覆シート２５の、供給ロール３２側の部分において貫通孔４０を形成した状態を示している。図３、図４は、本発明の目封止ハニカム構造体の製造方法の一の実施形態における孔開きシート作製工程を模式的に示す平面図である。なお、図４においては、把持枠４２は省略している。
【００４４】
被覆シートの貫通孔は、目封止部セルの位置座標と同じ位置座標で形成される。具体的には、目封止部セルの位置座標のうちの任意のセルの位置座標を基準とし、この基準となる位置座標を中心点とした貫通孔が形成されることになる。
【００４５】
被覆シートに貫通孔を形成する方法としては、レーザーを照射する方法などを挙げることができる。レーザー照射に使用するレーザーの種類としては、炭酸ガスレーザー、ＹＡＧレーザー、半導体レーザーなどを挙げることができる。
【００４６】
被覆シートに貫通孔を形成する際には、被覆シートに張力を加えていることが好ましい。つまり、被覆シートに張力を加えた状態で、上記貫通孔を形成して孔開きシートを得ることが好ましい。このように被覆シートに張力を加えた状態で貫通孔を形成することにより、より正確に目封止部セルの位置座標を反映した形で貫通孔を形成することができる。
【００４７】
（１−２−３）把持・配置工程：
本発明においては、被覆シートを把持可能な把持枠を用いて平らな状態の被覆シートを把持し、この被覆シートの平らな状態を維持してハニカム構造体の一方の端面上に平らな状態の被覆シートを配置する把持・配置工程を更に有することが好ましい。この把持・配置工程は、孔開きシート作製工程の前に行うことが好ましい。この把持・配置工程を更に有することにより、より正確に目封止部セルの位置座標を反映した形で貫通孔を形成することができ、更に、孔開きシートを、ハニカム構造体の一方の端面上により正確に且つ容易に配置することができる。
【００４８】
把持枠は、平らな状態の被覆シートを把持し、この被覆シートの平らな状態を維持するものである限り特に制限はない。把持枠としては、例えば、一対の多角形状の枠などを挙げることができる。この一対の多角形状の枠は、一方の枠と他方の枠との間に被覆シートを配置し、一方の枠と他方の枠とによって被覆シートを挟むことで被覆シートを把持し、被覆シートの平らな状態を維持することができる。
【００４９】
図５は、本発明の目封止ハニカム構造体の製造方法の一の実施形態における把持・配置工程で孔開きシートを把持した状態を模式的に示す平面図である。即ち、図５は、一対の四角形状の枠（把持枠）４２を用いて平らな状態の孔開きシート２７（被覆シート２５）を把持し、この孔開きシート２７の平らな状態を維持している状態を示している。図６は、図５における矢印の方向から孔開きシート２７を見たときの状態を模式的に示す平面図である。図６に示すように、孔開きシート２７（被覆シート２５）には目封止部セル５０の位置座標と同じ位置座標で貫通孔４０が形成され、この孔開きシート２７の平らな状態を維持するように一対の四角形状の枠４２が孔開きシート２７を把持している。なお、図６では、後述するシート被覆工程において、孔開きシートによってハニカム構造体の一方の端面を被覆したときにおける目封止部セルを「破線」で示している。また、図６では、後述するシート被覆工程において、孔開きシートによってハニカム構造体の一方の端面を被覆したときにおける「ハニカム構造体の一方の端面の外縁」を「一点鎖線」で示している。なお、把持枠の大きさは特に制限はなく適宜設定することができる。
【００５０】
把持枠は、その材質について特に制限はなく、例えば、金属、樹脂などを採用することができる。
【００５１】
（１−２−４）シート被覆工程：
「孔開きシートの貫通孔とハニカム構造体の目封止部セルとが合致する」とは、孔開きシートの全ての貫通孔とハニカム構造体の目封止部セルとが連通することを意味する。
【００５２】
「孔開きシートによってハニカム構造体の一方の端面を被覆する」とは、孔開きシートによってハニカム構造体の一方の端面の全部を被覆することを意味する。
【００５３】
「孔開きシートをハニカム構造体の一方の端面に押し付ける」とは、ハニカム構造体の一方の端面の面積よりも大きな面積の孔開きシートに、柱状のハニカム構造体の端面を押し付けた状態にすることを意味する。この押し付ける際、ハニカム構造体に外力を加えてハニカム構造体を孔開きシートに押し付けてもよい。また、孔開きシートまたは孔開きシートを把持している把持枠に外力を加えて孔開きシートまたは孔開きシートをハニカム構造体に押し付けてもよい。なお、把持枠を用いる場合には、この把持枠の内側にハニカム構造体の端面が位置することになる。
【００５４】
図７は、本発明の目封止ハニカム構造体の製造方法の一の実施形態におけるシート被覆工程で孔開きシートをハニカム構造体に被覆して押し付けた状態を模式的に示す平面図である。図７では、一対の四角形状の枠４２によって、孔開きシート２７がハニカム構造体１０の一方の端面に押し付けられている状態を示している。なお、孔開きシート２７がハニカム構造体１０の一方の端面に押し付けられる際には、長尺状シート供給巻取手段３６（ロール部３７）ごとハニカム構造体１０側に移動する。また、長尺状シート供給巻取手段３６（ロール部３７）は移動しなくてもよい。
【００５５】
（１−２−５）目封止材充填工程：
「孔開きシートをハニカム構造体の一方の端面に押し付けた状態」とは、孔開きシートをハニカム構造体の一方の端面に押し付け、孔開きシートがずれないようにした状態を意味する。
【００５６】
目封止部形成用スラリーは、ハニカム構造体を作製するための坏土と同じ組成のスラリーを用いることができる。
【００５７】
本工程では、目封止材充填手段として、目封止部形成用スラリーを定量で供給可能な装置であるスラリー定量供給装置を用いて目封止部形成用スラリーを押し出し、ハニカム構造体の目封止部セルに目封止部形成用スラリーを充填することが好ましい。
【００５８】
本工程では、ハニカム構造体の一方の端面が直接接触している孔開きシート側にリーク防止枠を配置し、その後、目封止材充填手段によって外力を加えるか、或いは、リーク防止枠に外力を加えることが好ましい。このようにすることにより、目封止部形成用スラリーが孔開きシートと目封止材充填手段の充填ノズルとの隙間から漏れ出てしまうことを防止することができる。なお、ハニカム構造体の破損を避けるという観点から、ハニカム構造体には外力が加わらないようにすることが好ましい。リーク防止枠は、孔開きシートの、ハニカム構造体が配置される側の面に配置され、目封止材充填手段の充填ノズルとリーク防止枠とによって孔開きシートを挟むように外力が加えられる。図６に示すように、リーク防止枠４３（図６中、ドットで示す領域）は、把持枠４２の内側に配置される。図６は、図５における矢印の方向から被覆シート２５を見たときの状態を模式的に示す平面図である。なお、目封止材充填手段（目封止材充填手段の充填ノズル）は、目封止部形成工程中、被覆シート（孔開きシート）と接触するように配置することができる。
【００５９】
（１−２−６）その他の工程：
上述した座標認識工程、孔開きシート作製工程、シート被覆工程、及び目封止材充填工程は、ハニカム構造体の一方の端面側の目封止部セルに目封止部を形成する工程（一方の端面側目封止工程）である。本発明の目封止ハニカム構造体の製造方法は、目封止部形成工程が、ハニカム構造体の他方の端面側の目封止部セルに目封止部を形成する工程（他方の端面側目封止工程）を有することができる。つまり、上記「一方の端面側目封止工程」の後に、即ち、上記「一方の端面側目封止工程」の目封止材充填工程を行った後に、更に、「他方の端面側目封止工程」を行うことができる。「他方の端面側目封止工程」は、「一方の端面側目封止工程」と同様の、座標認識工程、孔開きシート作製工程、シート被覆工程、及び目封止材充填工程の各工程を有するものである。
【００６０】
（２）目封止部形成装置：
本発明の目封止部形成装置の一実施形態は、図１に示す目封止部形成装置１００である。
【００６１】
このような目封止部形成装置１００は、目封止ハニカム構造体の製造工程に用いることで、目封止ハニカム構造体の製造時の工程数を少なくすることができ、また、目封止ハニカム構造体の製造コストを削減することができる。
【００６２】
図１は、本発明の目封止部形成装置の一の実施形態を模式的に示す平面図である。
【００６３】
（２−１）撮像手段：
撮像手段２０としては、上述したように、例えば、ＣＣＤ（ｃｈａｒｇｅ−ｃｏｕｐｌｅｄ  ｄｅｖｉｃｅ）カメラ、Ｘ線ＣＴ（ｃｏｍｐｕｔｅｄ  ｔｏｍｏｇｒａｐｈｙ）スキャナー等を用いることができる。
【００６４】
（２−２）座標認識手段：
座標認識手段２２は、撮像手段で取得した画像データから「目封止部が形成されるセル」である目封止部セルの位置座標を認識することができるものであれば特に制限はない。例えば、画像解析ソフトを用いることができる。
【００６５】
（２−３）孔開きシート作製手段：
孔開きシート作製手段２４としては、例えば、レーザー照射装置などを用いることができる。レーザー照射装置の中でも、炭酸ガスレーザーを照射可能なレーザー照射装置であることが好ましい。
【００６６】
（２−４）被覆手段：
被覆手段２６は、例えば、孔開きシートを把持してハニカム構造体の一方の端面を被覆する把持枠などを挙げることができる。被覆シートが長尺状のシートである場合には、上述した長尺状シート供給巻取手段（後述するロール部）を被覆手段として採用することができる。
【００６７】
（２−５）押付手段：
押付手段２８は、孔開きシートを、ハニカム構造体の一方の端面に押し付けることができる限り特に制限はない。押付手段としては、例えば、ハニカム構造体を孔開きシートに向かって前進させ、孔開きシートをハニカム構造体の一方の端面に押し付ける機構を備える装置であってもよい。また、被覆シートが長尺状のシートである場合に、上述した長尺状シート供給巻取手段（後述するロール部）が、孔開きシートをハニカム構造体の一方の端面に押し付ける機構を備えていてもよい。つまり、上述した長尺状シート供給巻取手段が移動して、孔開きシートをハニカム構造体の一方の端面に押し付けてもよい。また、被覆手段として上記把持枠を備える場合、この把持枠が、孔開きシートをハニカム構造体の一方の端面に押し付ける機能を備えていてもよい。
【００６８】
（２−６）目封止材充填手段：
目封止材充填手段３０としては、例えば、モーノポンプ、プランジャーポンプ、ダイヤフラムポンプ、空圧による圧送装置などの、スラリー定量供給装置を挙げることができる。
【００６９】
（２−７）ロール部：
本発明の目封止部形成装置は、被覆シートとして長尺状のシートを用いる場合、長尺状の被覆シートを供給する供給ロールと、貫通孔が形成された後の長尺状の被覆シートを巻き取る巻き取りロールと、を有するロール部を更に備えることが好ましい。このようなロール部を用いることにより、被覆シートの張力を巻取モーターのトルクなどにより制御しながら、連続的に目封止部形成工程を行うことができる。
【００７０】
（２−８）把持枠：
本発明の目封止部形成装置は、平らな状態の被覆シートを把持し、この被覆シートの平らな状態を維持し、ハニカム構造体の一方の端面上に配置する把持枠を更に備えることが好ましい。このような把持枠を備えることにより、より正確に目封止部セルの位置座標を反映した形で貫通孔を形成することができ、更に、孔開きシートを、ハニカム構造体の一方の端面上により正確に且つ容易に配置することができる。
【００７１】
把持枠としては、例えば、一対の多角形状の枠などを挙げることができる。この一対の多角形状の枠は、一方の枠と他方の枠との間に被覆シートを配置し、一方の枠と他方の枠とによって被覆シートを挟むことで被覆シートを把持し、被覆シートの平らな状態を維持することができる。
【００７２】
（２−９）その他の部材：
上述した各手段（部材）は、上記「一方の端面側目封止工程」を行うためのものであり、本発明の目封止部形成装置は、上述した「他方の端面側目封止工程」を更に行うための各手段（部材）を備えていてもよい。「他方の端面側目封止工程」を更に行うための各手段（部材）は、上述した各手段（部材）と同様の各手段（部材）を採用できる。
【実施例】
【００７３】
以下、本発明を実施例に基づいて具体的に説明するが、本発明はこれらの実施例に限定されるものではない。
【００７４】
（実施例１）
まず、ハニカム構造体作製工程を行って、ハニカム構造体を作製した。具体的には、炭化珪素（ＳｉＣ）粉末と金属珪素（Ｓｉ）粉末とを混合してセラミック原料を得た。得られたセラミック原料に、バインダ、造孔材を添加して成形原料とし、成形原料を真空土練機により混練して坏土を作製した。
【００７５】
次に、得られた坏土を、押出成形機を用いて成形し、ハニカム成形体を得た。得られたハニカム成形体を乾燥した後、両端面を所定量切断した。このようにしてハニカム構造体を得た。
【００７６】
得られたハニカム構造体は、セルの延びる方向に直交する断面が一辺５０ｍｍの正方形であり、セルの延びる方向における長さが１００ｍｍであった。また、ハニカム構造体は、隔壁の厚さが２００μｍであり、セル密度が２５個／ｃｍ２であった。
【００７７】
次に、目封止部形成工程を行って、目封止ハニカム構造体を作製した。具体的には、座標認識工程、孔開きシート作製工程、シート被覆工程、目封止材充填工程の順に操作を行った。
【００７８】
まず、座標認識工程を行った。具体的には、撮像手段であるＣＣＤカメラによってハニカム乾燥体（ハニカム構造体）の一方の端面を撮像して画像データを取得した。その後、座標認識手段である画像解析ソフトによって、取得した画像データから「目封止部が形成されるセルである目封止部セル」の位置座標を認識させた。この画像解析ソフトでは、「目封止部が形成されるセルである目封止部セル」を２値化、収縮、膨張した後、セルを構成する画像のピクセルの重心を計算する。
【００７９】
次に、孔開きシート作製工程を行った。具体的には、「ハニカム構造体の一方の端面を被覆するためのものであり且つ粘着層を有さない被覆シート」を用意した。そして、この被覆シートに、孔開きシート作製手段である炭酸ガスレーザーによって、目封止部セルの位置座標と同じ位置座標の貫通孔を形成して孔開きシートを得た。
【００８０】
被覆シートは、ロール状に巻き取られた長尺状のシートを用いた。この長尺状の被覆シートは、厚さ３８μｍ、ＰＥＴ製のシート（破断伸び率１８５％）であった。
【００８１】
なお、孔開きシート作製工程の前に把持枠によって長尺状のシートを把持し、この把持枠によって長尺状のシートを把持した状態で貫通孔を形成させた。把持枠として、一対の四角形状の枠を用いた。この一対の四角形状の枠の「一方の四角形状の枠」と「他方の四角形状の枠」との間に被覆シートを配置し、これらの枠とによって被覆シートを挟むことで被覆シートを把持させた。
【００８２】
次に、シート被覆工程を行った。具体的には、被覆手段を用いて、得られた孔開きシートの貫通孔とハニカム構造体の目封止部セルとが合致するように、孔開きシートをハニカム構造体の一方の端面上に配置した。被覆手段としては、長尺状の被覆シートを供給する供給ロールと、貫通孔が形成された後の長尺状の被覆シートを巻き取る巻き取りロールと、を有するロール部（長尺状シート供給巻取手段）を用いた。その後、押付手段により、孔開きシートでハニカム構造体の一方の端面を被覆させるとともに、上記一方の端面を被覆した状態の孔開きシートをハニカム構造体の一方の端面に押し付けた。
【００８３】
押付手段として、孔開きシートをハニカム構造体の一方の端面に押し付ける機能を備える把持枠を用いた。つまり、把持枠によって長尺状のシートを把持した状態を維持しつつ、孔開きシートをハニカム構造体の一方の端面に押し付けた。
【００８４】
次に、目封止材充填工程を行った。具体的には、孔開きシートをハニカム構造体の一方の端面に押し付けた状態で、目封止材充填手段によって、ハニカム構造体の目封止部セルに目封止部形成用スラリーを充填した。
【００８５】
目封止材充填手段として、モーノポンプを用いた。そして、モーノポンプの充填ノズルとリーク防止枠とによって孔開きシートを挟むように外力を加えた。
【００８６】
目封止部形成用スラリーは、ハニカム構造体を作製するための坏土と同じ組成のスラリーを用いた。
【００８７】
目封止部形成用スラリーを充填した後、ハニカム構造体の一方の端面に押し付けていた孔開きシートを、ハニカム構造体の一方の端面から離した。その後、目封止部セルに目封止部形成用スラリーを充填したハニカム構造体を乾燥し焼成した。
【００８８】
このようにして作製した目封止ハニカム構造体について、製品評価を行った。まず、ピンゲージを用いて目封止部の深さの測定を行った。測定の結果、目封止部の深さのσを従来の方法と同等の２ｍｍに抑えることができた（サンプル数２０）。次に、ハニカム構造体に破損が無いことを目視検査で確認した。
【産業上の利用可能性】
【００８９】
本発明の目封止ハニカム構造体の製造方法は、自動車等から排出される排ガスを浄化するフィルタとして使用される目封止ハニカム構造体を製造することができる。本発明の目封止部形成装置は、自動車等から排出される排ガスを浄化するフィルタとして使用される目封止ハニカム構造体を製造する装置として用いることができる。
【符号の説明】
【００９０】
１０：ハニカム構造体、１１：流入端面、１２：流出端面、１５：一方の端面、２０：撮像手段、２２：座標認識手段、２４：孔開きシート作製手段、２５：被覆シート、２６：被覆手段、２７：孔開きシート、２８：押付手段、３０：目封止材充填手段、３１：充填ノズル、３２：供給ロール、３４：巻き取りロール、３６：長尺状シート供給巻取手段、３７：ロール部、４０：貫通孔、４２：把持枠、４３：リーク防止枠、５０：目封止部セル、１００：目封止部形成装置。
【図１】
2015178436.tif 000003
【図２】
2015178436.tif 000004
【図３】
2015178436.tif 000005
【図４】
2015178436.tif 000006
【図５】
2015178436.tif 000007
【図６】
2015178436.tif 000008
【図７】
2015178436.tif 000009